(57)【要約】      （修正有）【課題】手間を掛けずに容易に収納量の増減をすることができるバッグを提供する。【解決手段】物の収納が可能な第１の収納部１１と、物の収納が可能であって、第１の収納部１１の外側に設けられた第２の収納部１２と、持ち手部１３とを備えるバッグ１０であって、第１の収納部１１は、第２の収納部１２の底部１５より下方に位置する領域部分であって第１の収納部１１の底部１６を含む下方部１４を有し、下方部１４を第２の収納部１２側に折り返し、折り返した下方部１４を第２の収納部１２の開口縁１７によって内側に巻き込み、第２の収納部１２の内面の生地が外面になるように第２の収納部１２を裏返すことにより、第１の収納部１１の入り口が一緒となる第３の収納部と、第２の収納部１２の入り口の縁の裏返しによって入り口が形成される第４の収納部が形成される。【選択図】図１
0003230743.tif 000002
【実用新案登録請求の範囲】
【請求項１】
物の収納が可能な第１の収納部と、
物の収納が可能であって、前記第１の収納部の外側に設けられた第２の収納部と、
持ち手部とを備えるバッグであって、
前記第１の収納部は、前記第２の収納部の底部より下方に位置する領域部分であって前記第１の収納部の底部を含む下方部を有し、
前記下方部を前記第２の収納部側に折り返し、折り返した下方部を前記第２の収納部の開口縁によって内側に巻き込み、前記第２の収納部の内面の生地が外面になるように前記第２の収納部を裏返し、第３の収納部と第４の収納部が形成されるバッグ。
【請求項２】
前記第２の収納部の底部の両端には隅切りが形成されていることを特徴とする請求項１に記載のバッグ。
【請求項３】
前記下方部の折り返しは少なくとも１回であることを特徴とする請求項１又は２に記載のバッグ。
【考案の詳細な説明】
【技術分野】
【０００１】
本考案は、収納量に応じて形状を変形できるバッグに関するものである。
【背景技術】
【０００２】
従来、スーパーなどの商店で買い物をすると、商店が用意した買物袋（例えば、ビニール製の袋）に買い物した商品を入れてもらい、商品を持ち帰っていた。しかし、近年では、環境問題が深刻化しており、買い物をする際、買物袋を持参し、持参した買物袋に買い物した商品を入れて持ち帰る客が増えている。持参する買物袋には買い物した量に応じて収納量を変化させることができるものがある（下記の特許文献１を参照）。これにより、想定していなかった買い物によって荷物が増えてしまっても買物袋に収納して持ち帰ることができる。
【先行技術文献】
【特許文献】
【０００３】
【特許文献１】実用新案登録第３１８９７２８号
【考案の概要】
【考案が解決しようとする課題】
【０００４】
しかし、このような袋は、ファスナーによって開閉して収納部の全体長さを上下方向に伸縮させ、収納空間を大きく又は小さくするものであるため、ファスナーを開閉する手間が掛かってしまう。また、ファスナーの開閉により袋の生地を噛んでしまい煩わしいという問題もある。
【０００５】
本考案は、上記従来の問題を解消するためのものであって、手間を掛けずに容易に収納量の増減をすることができるバッグを提供することにある。
【課題を解決するための手段】
【０００６】
前記課題を解決するために、請求項１記載の考案にあっては、物の収納が可能な第１の収納部と、物の収納が可能であって、前記第１の収納部の外側に設けられた第２の収納部と、持ち手部とを備えるバッグであって、前記第１の収納部は、前記第２の収納部の底部より下方に位置する領域部分であって前記第１の収納部の底部を含む下方部を有し、前記下方部を前記第２の収納部側に折り返し、折り返した下方部を前記第２の収納部の開口縁によって内側に巻き込み、前記第２の収納部の内面の生地が外面になるように前記第２の収納部を裏返し、第３の収納部と第４の収納部が形成されることを特徴とする。
【０００７】
請求項２記載の考案にあっては、前記第２の収納部の底部の両端には隅切りが形成されていることは好ましい態様である。
【０００８】
請求項３記載の考案にあっては、前記下方部の折り返しが少なくとも１回であることは好ましい態様である。
【考案の効果】
【０００９】
請求項１記載のバッグにあっては、物の収納が可能な第１の収納部（メイン収納）と、物の収納が可能であって、前記第１の収納部の外側に設けられた第２の収納部（サブ収納）と、持ち手部とを備えるバッグであって、前記第１の収納部は、前記第２の収納部の底部より下方に位置する領域部分であって前記第１の収納部の底部を含む下方部を有し、前記下方部を前記第２の収納部側に折り返し、折り返した下方部を前記第２の収納部の開口縁によって内側に巻き込み、前記第２の収納部の内面の生地が外面になるように前記第２の収納部を裏返し、第３の収納部と第４の収納部が形成されることにより、手間を掛けずに容易に収納量の増減をすることができる。
【００１０】
請求項２記載のバッグにあっては、前記第２の収納部の底部の両端には隅切りが形成されていることにより、第３の収納部と第４の収納部が形成される際に裏返した第２の収納部の底部の角を押し込む手間を省くことができる。
【００１１】
請求項３記載のバッグにあっては、前記下方部の折り返しが少なくとも１回であることにより、収納量の増減をさせることができる。
【図面の簡単な説明】
【００１２】
【図１】本考案に係るバッグの表面を示す図である。
【図２】本考案に係るバッグの裏面を示す図である。
【図３】本考案に係るバッグの側面を示す側面図である。
【図４】本考案に係るバッグの斜視図である。
【図５】本考案に係るバッグの第３の収納部と第４の収納部が形成される方法を説明するための図である。
【図６】本考案に係るバッグの第３の収納部と第４の収納部が形成される方法を説明するための他の図である。
【図７】本考案に係るバッグの第３の収納部と第４の収納部が形成された状態を示す図である。
【図８】本考案に係るバッグの第３の収納部と第４の収納部が形成された状態のバッグの裏面を示す図である。
【図９】本考案に係るバッグの第１の収納部と第２の収納部が形成された場合と、第３の収納部と第４の収納部が形成された場合の大きさを比較した図である。
【考案を実施するための形態】
【００１３】
以下、本考案に係るバッグを、一実施形態に基づき、図面を参照して説明する。
【００１４】
まず、一実施形態の構成について説明する。図１〜図９は本考案に係る一実施形態のバッグを説明するための図である。
【００１５】
この一実施形態のバッグ１０は、買い物をした際の購入商品を入れて持ち運ぶための買物袋である。ここでは買い物した商品を入れる袋として説明するが、買い物した商品を持ち運ぶためだけでなく、職場や学校などで使用する物を入れて持ち運ぶ袋としても利用可能である。
【００１６】
バッグ１０は、図１や図４に示すように、物の収納が可能な第１の収納部（メイン収納）１１と、物の収納が可能であって、第１の収納部の外側の側面に設けられた第２の収納部（サブ収納）１２と、ユーザが手で持つ持ち手部１３とを備えるバッグ１０である。バッグ１０の生地は、例えば布地である。
【００１７】
第１の収納部１１は、第２の収納部１２の底部１５より下方に位置する領域部分であって第１の収納部１１の底部１６を含む下方部１４を有し、下方部１４を第２の収納部１２側に折り返し、折り返した下方部１４を第２の収納部１２の開口縁１７によって内側に巻き込み、第２の収納部１２の内面の生地が外面になるように第２の収納部１２を裏返し、第３の収納部１８と第４の収納部１９が形成される。また、第２の収納部１２の底部１５の両端には隅切り２０（図１の破線箇所）が形成されている。隅切り２０を形成することで、第３の収納部１８と第４の収納部１９が形成される際に裏返した第２の収納部１２の底部１５の角を押し込む手間を省くことができる。
【００１８】
ここで、底部１５は第２の収納部１２の収納内部の底面をいい、底部１６は第１の収納部１１の収納内部の底面をいう。
【００１９】
第１の収納部１１は、収納量が最も多い収納部であり、買い物した商品は主に第１の収納部１１に入れられる。第１の収納部１１は第１の収納部１１の開口部から底部１６までの収納空間に物を収納することが可能である。ここでは、第２の収納部１２の上方であって第１の収納部１１の外側の側面の一部に持ち手１３が取り付けられており、持ち手１３の端部に取り付けられた後述するボタン２１のオスが第２の収納部１２の外側の側面に取り付けられたボタン２１のメスに結合される。
【００２０】
一方、第２の収納部１２は、第１の収納部１１の外側の側面に備え付けられており、第１の収納部１１よりも少ない収納量となっている。第２の収納部１２は第２の収納部１２の開口部（開口縁１７）から底部１５までの収納空間に物を収納することが可能である。第２の収納部１２は、小物（例えば、財布、携帯電話、鍵、ハンカチなどの所持品など）を入れる収納部であるが、買い物した商品などを入れることも可能である。
【００２１】
この例では、第１の収納部１１の開口部には収納した物が飛び出ないようにする封止手段（例えば、ファスナーやボタンなど）は取り付けられておらず、第２の収納部１２の開口部には封止手段として封止用のボタン２１が取り付けられている。封止手段は、上記のボタン２１に限定されるものではなく、封止機能を有するものであれば他の手段（例えば、マグネットなど）であってもよい。また、封止手段は取り付けられていても取り付けられていなくてもよい。
【００２２】
また、上述したように、バッグ１０には持ち手１３が取り付けられているが、持ち手１３は第１の収納部１１に縫製により結合されているが、結合方法はこれに限定されるものではなく、他の方法で結合されてもよい。また、図２に示すように、バッグ１０の裏面には他の収納部であるポケット２２が取り付けられており、更なる収納が確保されているが、ポケット２２は無くてもよい。
【００２３】
バッグ１０の側面図及び斜視図を図３、図４にそれぞれ示す。図３、図４に示すように、この例におけるバッグ１０はマチ（襠）２３が大きくない。これは後述する下方部１４の折り返しを容易にするためであるが、マチ２３の大きさはこれに限定されるものではなく、下方部１４の折り返しに支障がない程度に更に大きくしてもよい。
【００２４】
次に、図１に示すバッグ１０が変形して第３の収納部１８と第４の収納部１９が形成される方法について図５、図６を用いて説明する。図５に示すように、バッグ１０の下方部１４を矢印のように第２の収納部１２側に１回折り返す。このとき、第１の収納部１１の底部１６が第２の収納部１２の底部１５に重なるようにして折り返す。
【００２５】
さらに、折り返された下方部１４を第２の収納部１２の底部１５を折り目として、折り返し底部５１が点線５０に重なるように折り返し、折り返した状態でボタン２１を外す。ボタン２１を外した状態が図６に示されている。
【００２６】
図６に示すように、ボタン２１を外した状態で、第２の収納部１２の開口縁１７によって折り返した下方部１４を内側に巻き込むようにし、第２の収納部１２の内面の生地（例えば、水玉模様の生地）が外面になるように第２の収納部１２を裏返す。
【００２７】
これにより、図７に示すように、バッグ１０の第３の収納部１８と第４の収納部１９が形成される。第３の収納部１８と第４の収納部１９が形成されたバッグ１０の裏面を図８に示す。上述したように第２の収納部１２を裏返すことによって、第３の収納部１８と第４の収納部１９のそれぞれの底部が形成され、底部を縫製するなどしなくても荷物が抜け落ちない。
【００２８】
なお、ここでは下方部１４の折り返しを２回行った場合について説明したが、折り返し回数はこれに限定されるものではない。すなわち、下方部１４の折り返しは少なくとも１回である。
【００２９】
図９は、第１の収納部１１と第２の収納部１２が形成されている場合のバッグ１０と、第３の収納部１８と第４の収納部１９が形成されている場合のバッグ１０の大きさを比較した図である。図９に示すように、第１の収納部１１と第２の収納部１２が形成された場合のバッグ１０の方が、サイズが大きいため多くの物を運ぶ際に便利である。一方、第３の収納部１８と第４の収納部１９が形成されている場合のバッグ１０の場合は小物を運ぶ際に便利な大きさである。
【００３０】
なお、上述したバッグ１０の生地は布地として説明したが、布地に限定されるものではなく、ビニール地など折り返しなどができるものであればよい。また、持ち手１３の大きさや長さも上述したものに限定されるものではない。
【産業上の利用可能性】
【００３１】
本考案に係るバッグは、手間を掛けずに容易に収納量の増減をすることができるため、産業上の利用可能性を有している。
【符号の説明】
【００３２】
１０  バッグ
１１  第１の収納部
１２  第２の収納部
１３  持ち手
１４  下方部
１５  第２の収納部の底部
１６  第１の収納部の底部
１７  開口縁
１８  第３の収納部
１９  第４の収納部
２０  隅切り
２１  ボタン
２２  ポケット
２３  マチ
５０  点線  
５１  折り返し底部
【図１】
0003230743.tif 000003
【図２】
0003230743.tif 000004
【図３】
0003230743.tif 000005
【図４】
0003230743.tif 000006
【図５】
0003230743.tif 000007
【図６】
0003230743.tif 000008
【図７】
0003230743.tif 000009
【図８】
0003230743.tif 000010
【図９】
0003230743.tif 000011
【手続補正書】
【提出日】令和2年11月25日(2020.11.25)
【手続補正１】
【補正対象書類名】実用新案登録請求の範囲
【補正対象項目名】全文
【補正方法】変更
【補正の内容】
【実用新案登録請求の範囲】
【請求項１】
物の収納が可能な第１の収納部と、
物の収納が可能であって、前記第１の収納部の外側に設けられた第２の収納部と、
持ち手部とを備えるバッグであって、
前記第１の収納部は、前記第２の収納部の底部より下方に位置する領域部分であって前記第１の収納部の底部を含む下方部を有し、
前記下方部を前記第２の収納部側に折り返し、折り返した下方部を前記第２の収納部の開口縁によって内側に巻き込み、前記第２の収納部の内面の生地が外面になるように前記第２の収納部を裏返し、前記第１の収納部の入り口が一緒となる第３の収納部と、前記第２の収納部の入り口の縁の裏返しによって入り口が形成される第４の収納部が形成されるバッグ。
【請求項２】
前記第２の収納部の底部の両端には隅切りが形成されていることを特徴とする請求項１に記載のバッグ。
【請求項３】
前記下方部の折り返しは少なくとも１回であることを特徴とする請求項１又は２に記載のバッグ。